(57)【要約】【課題】組立性に優れ、透光性の液体ボトルの照明を確実に行うことができて、薬液面の視認性に優れ、さらに、イルミネーション効果が向上する加熱蒸散装置を提供する。【解決手段】蒸散孔を備えた上部器体と薬液ボトルが取付けられる下部器体とからなる器本体と、吸液芯を上昇する薬液を蒸散させる発熱体と、薬液ボトルを照らす照明手段と、給停電用スイッチとを備え、照明手段とスイッチとがスイッチ取付部材に設けられ、このスイッチ取付部材は、スイッチの操作部が上部器体と前記下部器体の接合部間で外部に露出するように、上部器体と下部器体によって支持され、照明手段は、下部器体の底面部に設けられた透光孔に対向して設けられる。【選択図】  図６
2010161973.tif 000002
【特許請求の範囲】
【請求項１】
蒸散孔を備えた上部器体と透光性の薬液ボトルが取り付けられる下部器体とからなる器本体と、前記下部器体に着脱自在に取付けられる薬液ボトルに収容された薬液を吸い上げる吸液芯と、この吸液芯を加熱して、薬液を蒸散させる発熱体と、前記薬液ボトルを照らす照明手段と、前記発熱体及び前記照明手段に給停電するスイッチとを備えた加熱蒸散装置において、
前記照明手段と前記スイッチはスイッチ取付部材に設けられ、
このスイッチ取付部材は、前記スイッチの操作部が前記上部器体と前記下部器体の接合部間で外部に露出するように、前記上部器体と前記下部器体によって支持され、
前記照明手段は、前記下部器体の底面部に設けられた透光孔に対向して設けられることを特徴とする加熱蒸散装置。
【請求項２】
前記下部器体には、その中央に、前記吸液芯および透光性液体ボトルの首部が挿入される空間を画成する内周部が設けられ、前記スイッチ取付部材の反スイッチ側には、前記内周部の外壁に当接するリブが設けられることを特徴とする請求項１に記載の加熱蒸散装置。
【請求項３】
前記下部器体は下部が開放され、前記照明手段から発せられる光は、前記透光孔を介して前記透光性液体ボトル内を照らすことを特徴とする請求項１または２に記載の加熱蒸散装置。
【請求項４】
前記透光孔の周囲には、前記照明手段の全部あるいは一部が挿入されるリブ部が設けられることを特徴とする請求項１または２に記載の加熱蒸散装置。
【請求項５】
前記スイッチ取付部材の反スイッチ側かつ前記照明手段の上方には、光量調整用の遮光部が設けられることを特徴とする請求項１ないし４のいずれか１項に記載の加熱蒸散装置。
【発明の詳細な説明】
【技術分野】
【０００１】
本発明は加熱蒸散装置に係り、特に構造を改良した加熱蒸散装置に関する。
【背景技術】
【０００２】
従来、加熱蒸散装置として、ボトル内の殺虫剤・忌避剤、消臭剤、殺菌剤、芳香剤等の薬剤を吸液芯で吸上げ、この吸液芯を発熱体により加熱することで、薬液を蒸散させるものが用いられている。
【０００３】
この種の加熱蒸散装置は、略円筒状の上部器本体と、容器状あるいは皿状の下器本体よりなる容器本体を備え、この容器本体に薬液ボトルを収容し、さらに、下器本体に薬液ボトルに収容された薬液を吸い上げる吸液芯を挿入し、この吸液芯を発熱体により加熱して、薬液を容器本体外に蒸散させている。
【０００４】
そして、薬液ボトル内の薬液面を容易に視認できるように、薬液ボトルの照明する照明手段を設け、さらに、発熱体および照明手段への給電を制御するスイッチを設けた加熱蒸散装置が提案されている（例えば、特許文献１参照）。
【０００５】
しかしながら、特許文献１に記載の加熱蒸散装置は、照明灯が露出して設けられているため、十分に薬液面を照明できず、薬液面の視認性に劣り、また、照明手段および照明灯が別個に容器本体外に取付けられているため、組立性に劣り、さらに、薬液ボトルを収容するボトル収容部を設けるため、薬液ボトルを透過して容器本体に達する光がボトル収容部で遮られるため、イルミネーション効果に劣るという問題がある。
【０００６】
また、略円筒状の上部器本体と、容器状あるいは皿状の下器本体よりなる容器本体を備え、この容器本体の底部に薬液ボトルを螺着し、さらに、器本体内に照明手段を設け、上部器本体およびスイッチを同時に照らす加熱蒸散装置が提案されている（例えば、特許文献２参照）。
【０００７】
しかしながら、特許文献２に記載の加熱蒸散装置は、照明手段が薬液面を照らしていないため、液面の視認性に劣るという問題がある。
【先行技術文献】
【特許文献】
【０００８】
【特許文献１】実開平４−１０３４７９号公報
【特許文献２】特開２００３−１９９４７４号公報
【発明の概要】
【発明が解決しようとする課題】
【０００９】
本発明は上述した事情を考慮してなされたもので、組立性に優れ、透光性の液体ボトルの照明を確実に行うことができて、薬液面の視認性に優れ、さらに、イルミネーション効果が向上する加熱蒸散装置を提供することを目的とする。
【課題を解決するための手段】
【００１０】
上述した目的を達成するため、本発明に係る加熱蒸散装置は、蒸散孔を備えた上部器体と透光性の薬液ボトルが取り付けられる下部器体とからなる器本体、前記下部器体に着脱自在に取付けられる薬液ボトルに収容された薬液を吸い上げる吸液芯と、この吸液芯を加熱して、薬液を蒸散させる発熱体と、前記薬液ボトルを照らす照明手段と、前記発熱体及び前記照明手段に給停電するスイッチとを備えた加熱蒸散装置において、前記照明手段と前記スイッチはスイッチ取付部材に設けられ、このスイッチ取付部材は、前記スイッチの操作部が前記上部器体と前記下部器体の接合部間で外部に露出するように、前記上部器体と前記下部器体によって支持され、前記照明手段は、前記下部器体の底面部に設けられた透光孔に対向して設けられることを特徴とする。
【発明の効果】
【００１１】
本発明に係る加熱蒸散装置よれば、組立性に優れ、透光性の液体ボトルの照明を確実に行うことができて、薬液面の視認性に優れ、さらに、イルミネーション効果が向上する加熱蒸散装置を提供することができる。
【図面の簡単な説明】
【００１２】
【図１】本発明の一実施形態に係る加熱蒸散装置の正面図。
【図２】本発明の一実施形態に係る加熱蒸散装置の平面図。
【図３】本発明の一実施形態に係る加熱蒸散装置の側面図。
【図４】本発明の一実施形態に係る加熱蒸散装置の底面図。
【図５】図３のＣ−Ｃ線に沿う縦断面図。
【図６】図１のＡ−Ａ線に沿う縦断面図。
【図７】図６のスイッチ取付部材近傍を拡大して示す縦断面図。
【図８】本発明の一実施形態に係る加熱蒸散装置に用いる光量調整手段の斜視図。
【図９】本発明の一実施形態に係る加熱蒸散装置に用いる他の光量調整手段の斜視図。
【発明を実施するための形態】
【００１３】
本発明の一実施形態に係る加熱蒸散装置を図面を参照して説明する。
【００１４】
図１〜図５に示すように、本発明の一実施形態に係る加熱蒸散装置１は、器本体２を備える。
【００１５】
この器本体２は、上部器体３と、この上部器体３の下部に取り付けられる下部器体４からなり、各々別個に形成され、一体的に組み立てられ、両器体３、４の開口周囲が凹凸結合し、上部器体３に設けた螺着用突出部３５及び下部器体４に設けた螺着用凹部４６を介して螺子５により螺着されてなる。
【００１６】
器本体２は合成樹脂を用いるのが好ましく、照明手段の消灯時には内部が視認できず、点灯時には上部器体が光る半透明部材がより好ましい。
【００１７】
器本体２の外側には、正面にスイッチ６の操作部６１およびプラグ７が設けられる。
【００１８】
上部器体３は略々円錐形中空状をなし、側部から垂下するプラグ取付部カバー部３１が設けられ、さらに、頂部には蒸散口３２が設けられる。
【００１９】
一方、器本体２の内部には、図６に示すように、加熱手段としてのヒータ８、スイッチ６および照明手段としてのＬＥＤ９が設けられる。
【００２０】
加熱手段としては、ニクロム線、半導体（正特性サーミスタ）、白金触媒、空気酸化発熱材等を用いることができる。また、照明手段はＬＥＤの他、ネオン球、ウエッジランプなどを用いることができる。
【００２１】
下部器体４はその下部が開放されるように略々扁平容器状をなし、側部から垂下して、プラグ取付部４１が設けられ、このプラグ取付部４１にはプラグ７が設けられる。
【００２２】
また、下部器体４には、その中央に、透光性の薬液ボトルＢの首部および吸液芯１０が挿入される空間Ｓが設けられる。
【００２３】
吸液芯の素材としては、薬液に対して安定でかつ毛細管現象で吸液するものを用いればよいが、薬液が油性であるか、又は水性であるかによって考慮する必要がある。例えば、水性薬液の場合、具体的にはクレー、タルク、パーライト、珪藻土等の無機質材料を焼成・形成したもの、ポリエステル系繊維及び／又はポリアミド系繊維からなるプラスチック芯、多孔質セラミック芯などがあげられ、なかでも、ポリエステル系繊維及び／又はポリアミド系繊維、もしくは多孔質セラミック芯が適している。
【００２４】
この空間Ｓは下部器体４の底面部４３に立設される内周部４４によって画成され、その内面には螺旋状突条４４１が設けられ、さらに、上部にヒータ８を取付けるための切欠部４４２が設けられる。
【００２５】
螺旋状突条４４１は薬液ボトルＢの首部に設けた螺子部が螺合し、透光性液体ボトルＢが下部器体４に着脱自在に取付けられる。
【００２６】
さらに、空間Ｓの上方には、加熱手段としてのヒータ８と吸液芯１０が貫通する金属性の加熱リング８１を備える。
【００２７】
このヒータ８は底面部４３から突出する一対の柱状のヒータ取付部４５に螺着させることで、下部器体４に取付けられる。
【００２８】
また、図６および図７に示すように、空間Ｓの側方で薬液ボトルＢの肩部ｂ上方には、スイッチ６およびＬＥＤ９が取付けられたスイッチ取付部材１１が設けられる。
【００２９】
このスイッチ取付部材１１は、略箱状をなし、背面（反スイッチ側）には、内周部４４に当接する支持部１１１、図８に示すように、例えば、略台形体状の突出部１１２および照明取付部１１３が設けられる。なお、突出部は直方体形状であってもよい。照明取付部１１３は半円状部１１４と半円状凹部１１５で円筒状に形成される。突出部１１２と半円状部１１４で光量調整手段１１６をなす。
【００３０】
さらに、スイッチ取付部材１１が器本体２に取付けられた状態では、スイッチ取付部材１１は上部器体３と下部器体４によって支持される。例えば、スイッチ取付部材１１は上部器体３と下部器体４間に狭持され、底面部４３から突設する取付部４３３に底部が支持され、上部器体３から突設する押圧部３４によって押圧され、支持部１１１が内周部４４に当接され、スイッチ取付部材１１は直接螺子止めしなくとも強固に固定される。
【００３１】
また、さらに、スイッチ取付部材１１が器本体２に取付けられた状態では、このスイッチ取付部材１１に取付けられたスイッチ６の操作部６１が、上部器体３に設けた半円状の上切欠部３３と下部器体４に設けた半円状の下切欠部４２で形成されるスイッチ孔２１から、外部に突出した状態になる。
【００３２】
ＬＥＤ９は、スイッチ取付部材１１に設けた照明取付部１１３に挿入されて固定され、底面部４３に設けた透光孔４３１に対向する。
【００３３】
ＬＥＤ９が透光孔４３１に対向した状態では、ＬＥＤ９の先端部が、透光孔４３１の周囲から立ち上がるリブ部４３２に挿入される。
【００３４】
ＬＥＤ９から発する光は、その大部分が透光孔４３１を通過し、透光性の薬液ボトルＢの肩部ｂから入光して、液面を照らし、かつ薬液ボトルＢを照らすようになっている。
【００３５】
本実施形態の加熱蒸散装置１は、ＬＥＤ９とスイッチ６がスイッチ取付部材１１に取付けられ、このスイッチ取付部材１１は上部器体３と下部器体４間に狭持され、底面部４３から突設する取付部４３３で底部が支持され、上部器体３から突設する押圧部３４によって押圧され、支持部１１１が内周部４４に当接されるので、スイッチ取付部材１１は、このスイッチ取付部材１１を直接螺子止めしなくとも強固に固定され、組立性に優れる。
【００３６】
なお、本実施形態では、図８に示す突出部１１２と半円状部１１４で光量調整手段１１６を形成したが、図９に示すように、透光孔１１７ａを備えた半円状部１１７と、透光孔１１８ａを備えた円弧体状の突出部１１８を用いてもよい。
【００３７】
次に本実施形態の加熱蒸散装置１の使用方法について説明する。
【００３８】
図６に示すように、加熱蒸散剤が入れられた薬液ボトルＢに栓体を介して吸液芯１０を立てた状態で挿入する。
【００３９】
ここで、加熱蒸散剤としては、殺虫剤、殺菌剤、殺ダニ剤、忌避剤、芳香剤、消臭剤、防黴剤、殺鼠剤などを用いる。また、必要に応じて上記薬剤を１種又は２種以上を配合して多目的組成物とすることも可能である。
【００４０】
吸液芯１０を加熱リング８１に遊挿し、薬液ボトルＢを回動させて、螺旋状突条４４１を薬液ボトルＢの首部に設けた螺子部に螺合して、薬液ボトルＢを下部器体４に取付けられる。
【００４１】
しかる後、プラグ７をソケットに差込み、操作部６１を上側に動かして、スイッチ６をオンにする。
【００４２】
ヒータ８は付勢され、薬液ボトルＢから毛細管現象によって上昇する蒸散剤を蒸散させる。蒸散された薬液は、蒸散口３２を介して、室内に散布される。
【００４３】
一方、付勢されたＬＥＤ９は光を発し、その光の大部分は透光孔４３１を通過し、薬液ボトルＢの肩部ｂから入光して、薬液面を照らす。
【００４４】
このとき、ＬＥＤ９の先端部が、透光孔４３１の周囲から立ち上がるリブ部４３２に挿入されているので、ＬＥＤ９の先端側から発する光は側方に漏れることがなく、薬液面がより明るく照らされ、外部から薬液面を視認しやすい。
【００４５】
また、薬液は十分に照明され、さらに、下部器体４はその下部が開放されているので、薬液ボトルＢ全体が照らされて、イルミネーション効果が向上する。
【００４６】
さらに、ＬＥＤ９の後側から発する（漏れる）光は、図７および図８に示すように、スイッチ取付部材１１に沿い、略台形体状の突出部１１２で屈折、散光され、下部器体４をほのかに照らし、イルミネーション効果を向上させる。
【００４７】
本実施形態の加熱蒸散装置によれば、組立性に優れ、透光性の液体ボトルの照明を確実に行うことができて、薬液面の視認性に優れ、さらに、イルミネーション効果が向上する加熱蒸散装置が実現される。
【符号の説明】
【００４８】
１  加熱蒸散装置
２  器本体
２１  スイッチ孔
３  上部器体
３１  プラグ取付部カバー部
３２  蒸散口
３３  上切欠部
３４  押圧部
３５  螺着用突出部
４  下部器体
４１  プラグ取付部
４２  下切欠部
４３  底面部
４３１  透光孔
４３２  リブ部
４３３  取付部
４４  内周部
４４１  螺旋状突条
４４２  切欠部
４５  ヒータ取付部
４６  螺着用凹部
５  螺子
６  スイッチ
６１  操作部
７  プラグ
８  ヒータ
８１  加熱リング
９  ＬＥＤ
１０  吸液芯
１１  スイッチ取付部材
１１１  支持部
１１２  突出部
１１３  照明取付部
１１４  半円状部
１１５  半円状凹部
１１６  光量調整手段
Ｓ  空間
【図１】
2010161973.tif 000003
【図２】
2010161973.tif 000004
【図３】
2010161973.tif 000005
【図４】
2010161973.tif 000006
【図５】
2010161973.tif 000007
【図６】
2010161973.tif 000008
【図７】
2010161973.tif 000009
【図８】
2010161973.tif 000010
【図９】
2010161973.tif 000011